(57)【要約】【課題】携帯端末が移動してもネットワーク設定情報を必要とする各アクセスポイントとの通信パスを張る上で、各アクセスポイントに対応したネットワーク設定情報を自動的に取得することにある。【解決手段】携帯端末２の制御部２１は、移動時または立ち上げ時に無線ＬＡＮアクセスポイント１をサーチして無線ＬＡＮアクセスポイント１のネットワーク識別子を検出する手段と、検出したネットワーク識別子に対応するネットワーク設定情報のダウンロード要求を無線ＬＡＮアクセスポイント６または無線網９０２を介してディレクトリサーバ３に対して行う手段と、要求に応じてダウンロードされるネットワーク設定情報を受信する手段と、受信したネットワーク設定情報を用いて無線ＬＡＮアクセスポイント１との間で通信パスを張る手段と、を有する。【選択図】      図１
2005191721.tif 000002
【特許請求の範囲】
【請求項１】
無線ＬＡＮ内の第１のネットワークに所属している無線ＬＡＮアクセスポイントに通信パスを張る携帯端末を備える無線ＬＡＮ設定情報ディレクトリシステムであって、
移動時、立ち上げ時を含む任意の時に前記無線ＬＡＮアクセスポイントをサーチして前記無線ＬＡＮ内の第１のネットワークのネットワーク識別子を検出する検出手段と、
前記検出手段で検出したネットワーク識別子に対応するネットワーク設定情報のダウンロード要求を前記無線ＬＡＮ内の第２のネットワークまたは無線網を介してネットワーク識別子に対応したネットワーク設定情報を管理するサーバに対して行う要求手段と、
前記要求手段に応じてダウンロードされるネットワーク設定情報を受信する受信手段と、
前記受信手段で受信したネットワーク設定情報を用いて前記無線ＬＡＮアクセスポイントとの間で通信パスを張る接続手段と、を有することを特徴とする無線ＬＡＮ設定情報ディレクトリシステム。
【請求項２】
無線ＬＡＮ内の第１のネットワークに所属している無線ＬＡＮアクセスポイントに通信パスを張る携帯端末を備える無線ＬＡＮ設定情報ディレクトリシステムであって、
前記携帯端末は、前記無線ＬＡＮ内のネットワークを識別するネットワーク識別子に対応した各無線ＬＡＮアクセスポイントに通信パスを張る上で必要なネットワーク設定情報をネットワーク識別子毎に格納する第１のデータベースを備え、
移動時、立ち上げ時を含む任意の時に無線ＬＡＮアクセスポイントをサーチして前記無線ＬＡＮ内の第１のネットワークを識別するネットワーク識別子を検出する検出手段と、
前記検出手段で検出したネットワーク識別子をキーにして前記第１のデータベースにネットワーク設定情報が登録されていれば、その登録されているネットワーク設定情報を用いて前記無線ＬＡＮアクセスポイントとの間で通信パスを張る第１の接続手段と、
を有することを特徴とする無線ＬＡＮ設定情報ディレクトリシステム。
【請求項３】
前記携帯端末は、前記検出手段で検出したネットワーク識別子をキーにして前記第１のデータベースにネットワーク設定情報が登録されていなければ、前記検出手段で検出したネットワーク識別子に対応するネットワーク設定情報のダウンロード要求を前記無線ＬＡＮ内の第２のネットワークまたは無線網を介してネットワーク識別子に対応したネットワーク設定情報を管理するサーバに対して行う要求手段と、
前記要求手段に応じてダウンロードされるネットワーク設定情報を受信する受信手段と、
前記受信手段で受信したネットワーク設定情報を用いて前記無線ＬＡＮアクセスポイントとの間で通信パスを張る第２の接続手段と、
前記受信手段で受信したネットワーク設定情報を前記検出手段で検出したネットワーク識別子に対応して前記第１のデータベースに登録する登録手段と、を有することを特徴とする請求項２記載の無線ＬＡＮ設定情報ディレクトリシステム。
【請求項４】
前記要求手段は、前記検出手段で検出したネットワーク識別子に対応する認証情報を前記サーバに送信することを特徴とする請求項１または３記載の無線ＬＡＮ設定情報ディレクトリシステム。
【請求項５】
前記サーバは、前記携帯端末が無線ＬＡＮ内のネットワークを識別するネットワーク識別子に対応した各無線ＬＡＮアクセスポイントに通信パスを張る上で必要なネットワーク設定情報をネットワーク識別子毎に予め格納した第２のデータベースを備え、
前記要求手段により前記携帯端末からダウンロード要求を受信した場合に前記携帯端末から受信したネットワーク識別子をキーとしたネットワーク設定情報を前記第２のデータベースから抽出しその抽出したネットワーク設定情報を要求元の前記携帯端末にダウンロードするダウンロード手段と、を有することを特徴とする請求項１または３記載の無線ＬＡＮ設定情報ディレクトリシステム。
【請求項６】
前記サーバは、前記携帯端末が無線ＬＡＮ内のネットワークを識別するネットワーク識別子に対応した各無線ＬＡＮアクセスポイントに通信パスを張る上で必要なネットワーク設定情報と認証情報とをネットワーク識別子毎に予め格納した第２のデータベースを備え、
前記要求手段により前記携帯端末からダウンロード要求を受信した場合に前記携帯端末から受信した認証情報と前記第２のデータベースに格納され前記携帯端末から受信したネットワーク識別子に対応する認証情報とを比較する比較手段と、
前記比較手段で一致すると前記携帯端末から受信したネットワーク識別子をキーとしたネットワーク設定情報を前記第２のデータベースから抽出しその抽出したネットワーク設定情報を要求元の前記携帯端末にダウンロードするダウンロード手段を有することを特徴とする請求項４記載の無線ＬＡＮ設定情報ディレクトリシステム。
【請求項７】
無線ＬＡＮ内の第１のネットワークに所属している無線ＬＡＮアクセスポイントに通信パスを張る携帯端末を備える無線ＬＡＮ設定情報ディレクト方法であって、
前記携帯端末が、移動時、立ち上げ時を含む任意の時に無線ＬＡＮアクセスポイントをサーチして前記無線ＬＡＮ内の第１のネットワークのネットワーク識別子を検出するステップと、
前記携帯端末が、前記検出したネットワーク識別子に対応するネットワーク設定情報のダウンロード要求を前記無線ＬＡＮ内の第２のネットワークまたは無線網を介してネットワーク識別子に対応したネットワーク設定情報を管理するサーバに対して行うステップと、
前記携帯端末が、前記ダウンロード要求に応じてダウンロードされるネットワーク設定情報を受信するステップと、
前記携帯端末が、前記受信したネットワーク設定情報を用いて前記無線ＬＡＮアクセスポイントとの間で通信パスを張るステップと、を含むことを特徴とする無線ＬＡＮ設定情報ディレクトリ方法。
【請求項８】
無線ＬＡＮ内の第１のネットワークに所属している無線ＬＡＮアクセスポイントに通信パスを張る携帯端末を備える無線ＬＡＮ設定情報ディレクトリシステムであって、
前記携帯端末が、前記無線ＬＡＮ内のネットワークを識別するネットワーク識別子に対応した各無線ＬＡＮアクセスポイントに通信パスを張る上で必要なネットワーク設定情報をネットワーク識別子毎に格納する第１のデータベースを備え、
前記携帯端末が、移動時、立ち上げ時を含む任意の時に無線ＬＡＮアクセスポイントをサーチして前記無線ＬＡＮ内の第１のネットワークを識別するネットワーク識別子を検出するステップと、
前記携帯端末が、前記検出手段で検出したネットワーク識別子をキーにして前記第１のデータベースにネットワーク設定情報が登録されていれば、その登録されているネットワーク設定情報を用いて前記無線ＬＡＮアクセスポイントとの間で通信パスを張るステップと、を含むことを特徴とする無線ＬＡＮ設定情報ディレクトリ方法。
【請求項９】
前記携帯端末が、前記検出したネットワーク識別子をキーにして前記第１のデータベースにネットワーク設定情報が登録されていなければ、前記検出したネットワーク識別子に対応するネットワーク設定情報のダウンロード要求を前記無線ＬＡＮ内の第２のネットワークまたは無線網を介してネットワーク識別子に対応したネットワーク設定情報を管理するサーバに対して行うステップと、
前記携帯端末が、前記ダウンロード要求に応じてダウンロードされるネットワーク設定情報を受信するステップと、
前記携帯端末が、前記受信したネットワーク設定情報を用いて前記無線ＬＡＮアクセスポイントとの間で通信パスを張るステップと、
前記受信したネットワーク設定情報を前記検出手段で検出したネットワーク識別子に対応して前記第１のデータベースに登録するステップと、含むことを特徴とする請求項８記載の無線ＬＡＮ設定情報ディレクトリ方法。
【請求項１０】
前記携帯端末が、前記ダウンロード要求時に前記検出したネットワーク識別子に対応する認証情報を前記サーバに送信するステップを含むことを特徴とする請求項７または９記載の無線ＬＡＮ設定情報ディレクトリ方法。
【請求項１１】
前記サーバが、前記携帯端末が無線ＬＡＮ内のネットワークを識別するネットワーク識別子に対応した各無線ＬＡＮアクセスポイントに通信パスを張る上で必要なネットワーク設定情報をネットワーク識別子毎に予め格納した第２のデータベースを備え、
前記ダウンロード要求により前記携帯端末からダウンロード要求を受信した場合に前記携帯端末から受信したネットワーク識別子をキーとしたネットワーク設定情報を前記第２のデータベースから抽出しその抽出したネットワーク設定情報を要求元の前記携帯端末にダウンロードするステップを含むことを特徴とする請求項７または９記載の無線ＬＡＮ設定情報ディレクトリ方法。
【請求項１２】
前記サーバが、前記携帯端末が無線ＬＡＮ内のネットワークを識別するネットワーク識別子に対応した各無線ＬＡＮアクセスポイントに通信パスを張る上で必要なネットワーク設定情報と認証情報とをネットワーク識別子毎に予め格納した第２のデータベースを備え、
前記ダウンロード要求により前記携帯端末からダウンロード要求を受信した場合に前記携帯端末から受信した認証情報と前記第２のデータベースに格納され前記携帯端末から受信したネットワーク識別子に対応する認証情報とを比較するステップと、
前記比較するステップで一致すると前記携帯端末から受信したネットワーク識別子をキーとしたネットワーク設定情報を前記第２のデータベースから抽出しその抽出したネットワーク設定情報を要求元の前記携帯端末にダウンロードするステップと、含むことを特徴とする請求項１０記載の無線ＬＡＮ設定情報ディレクトリ方法。
【請求項１３】
無線ＬＡＮ内の第１のネットワークに所属している無線ＬＡＮアクセスポイントに通信パスを張る処理をコンピュータに実行させる無線ＬＡＮ設定情報プログラムであって、
移動時、立ち上げ時を含む任意の時に無線ＬＡＮアクセスポイントをサーチして前記無線ＬＡＮ内の第１のネットワークのネットワーク識別子を検出するステップと、
前記検出したネットワーク識別子に対応するネットワーク設定情報のダウンロード要求を前記無線ＬＡＮ内の第２のネットワークまたは無線網を介してネットワーク識別子に対応したネットワーク設定情報を管理するサーバに対して行うステップと、
前記ダウンロード要求に応じてダウンロードされるネットワーク設定情報を受信するステップと、
前記受信したネットワーク設定情報を用いて前記無線ＬＡＮアクセスポイントとの間で通信パスを張るステップと、を含む処理を前記コンピュータに実行させる無線ＬＡＮ設定情報ディレクトリプログラム。
【請求項１４】
無線ＬＡＮ内の第１のネットワークに所属している無線ＬＡＮアクセスポイントに通信パスを張る処理をコンピュータに実行させる無線ＬＡＮ設定情報ディレクトリプログラムであって、
移動時、立ち上げ時を含む任意の時に無線ＬＡＮアクセスポイントをサーチして前記無線ＬＡＮ内の第１のネットワークを識別するネットワーク識別子を検出するステップと、
前記検出手段で検出したネットワーク識別子をキーにしてネットワーク設定情報をネットワーク識別子毎に格納するデータベース内にネットワーク設定情報が登録されていれば、その登録されているネットワーク設定情報を用いて前記無線ＬＡＮアクセスポイントとの間で通信パスを張るステップと、を含む処理を前記コンピュータに実行させる無線ＬＡＮ設定情報ディレクトリプログラム。
【請求項１５】
前記携帯端末が、前記検出したネットワーク識別子をキーにして前記第１のデータベースにネットワーク設定情報が登録されていなければ、前記検出したネットワーク識別子に対応するネットワーク設定情報のダウンロード要求を前記無線ＬＡＮ内の第２のネットワークまたは無線網を介してネットワーク識別子に対応したネットワーク設定情報を管理するサーバに対して行うステップと、
前記携帯端末が、前記ダウンロード要求に応じてダウンロードされるネットワーク設定情報を受信するステップと、
前記携帯端末が、前記受信したネットワーク設定情報を用いて前記無線ＬＡＮアクセスポイントとの間で通信パスを張るステップと、
前記受信したネットワーク設定情報を前記検出手段で検出したネットワーク識別子に対応して前記第１のデータベースに登録するステップと、を含む処理を前記コンピュータに実行させる請求項１４記載の無線ＬＡＮ設定情報ディレクトリプログラム。
【発明の詳細な説明】
【技術分野】
【０００１】
本発明は、無線ＬＡＮディレクトリシステム、方法およびプログラムに関し、特に、無線ＬＡＮ接続設定情報を接続すべき無線ＬＡＮ以外の他の通信手段を使って取得する無線ＬＡＮディレクトリシステム、方法、およびプログラムに関する。
【背景技術】
【０００２】
近年ホットスポットサービスの普及が著しく進んでおり、さまざまなホットスポットに接続を行いたいという重要がある。端末がさまざまなホットスポットでサービスを受けるためには、ホットスポット毎に接続設定を行う必要がある。複数のアクセスポイントに対して適切なセキュリティの下でアクセスする方法として、例えば、特開２００３−１０１５５３号公報に開示されている。この特開２００３−１０１５５３号公報には、特定の文字列からなる仮の識別子ＥＳＳ−ＩＤを用いて一時的なアソシエーションを行い、これによって、不特定のステーションをアクセスポイント通信可能にする。その上で、アクセスポイントがステーションのユーザ認証を行い、ユーザ認証を得られたステーションのみに一意な識別子ＥＳＳ−ＩＤを与え、これによって、ステーションが正規のアソシエーションを行う技術が記載されている。
【０００３】
【特許文献１】特開２００３−１０１５５３号公報
【発明の開示】
【発明が解決しようとする課題】
【０００４】
現在の無線ＬＡＮにおけるネットワーク設定はかなり煩雑であり、端末がさまざまなホットスポットに繋ぐ環境では、無線ＬＡＮの設定をいかに簡便に行うかが重要となる。しかし、特開２００３−１０１５５３号公報では、ステーションが移動または立ち上げるごとにＥＳＳ−ＩＤを取得する必要がある。そのため、特開２００３−１０１５５３号公報では、ＥＳＳ−ＩＤを取得したとしても、そのＥＳＳ−ＩＤを取得するごとに、暗号化情報等の無線ＬＡＮ設定情報を用いて無線ＬＡＮアクセスポイント１と通信を行わなければならないため、その無線ＬＡＮアクセスポイントのＥＳＳ−ＩＤに対応した無線ＬＡＮ設定情報を、予めステーション側に登録しておかねばならないという問題点がある。更に、特開２００３−１０１５５３号公報では、ステーション保有者が直接複雑な無線ＬＡＮ設定情報を手動で行う必要があるため、利便性が大きく損なわれるという問題点がある。更に、特開２００３−１０１５５３号公報では、アクセスポイントの台数が増えれば増えるほどメモリの容量が増えるという問題点がある。
【０００５】
本発明の目的は、上記問題点を鑑み、携帯端末が移動してもネットワーク設定情報を必要とする各アクセスポイントとの通信パスを張る上で、各アクセスポイントに対応したネットワーク設定情報を自動的に取得することにある。
【０００６】
また、本発明の他の目的は、携帯端末内に保存するネットワーク設定情報のデータ量を抑えることにある。
【課題を解決するための手段】
【０００７】
上記目的を達成するために、本発明の第１の無線ＬＡＮ設定情報ディレクトリシステムは、無線ＬＡＮ内の第１のネットワークに所属している無線ＬＡＮアクセスポイントに通信パスを張る携帯端末を備える無線ＬＡＮ設定情報ディレクトリシステムであって、移動時、立ち上げ時を含む任意の時に前記無線ＬＡＮアクセスポイントをサーチして前記無線ＬＡＮ内の第１のネットワークのネットワーク識別子を検出する検出手段と、前記検出手段で検出したネットワーク識別子に対応するネットワーク設定情報のダウンロード要求を前記無線ＬＡＮ内の第２のネットワークまたは無線網を介してネットワーク識別子に対応したネットワーク設定情報を管理するサーバに対して行う要求手段と、前記要求手段に応じてダウンロードされるネットワーク設定情報を受信する受信手段と、前記受信手段で受信したネットワーク設定情報を用いて前記無線ＬＡＮアクセスポイントとの間で通信パスを張る接続手段と、を有することを特徴としている。
【０００８】
また、本発明の本発明の第２の無線ＬＡＮ設定情報ディレクトリシステムは、無線ＬＡＮ内の第１のネットワークに所属している無線ＬＡＮアクセスポイントに通信パスを張る携帯端末を備える無線ＬＡＮ設定情報ディレクトリシステムであって、前記携帯端末は、前記無線ＬＡＮ内のネットワークを識別するネットワーク識別子に対応した各無線ＬＡＮアクセスポイントに通信パスを張る上で必要なネットワーク設定情報をネットワーク識別子毎に格納する第１のデータベースを備え、移動時、立ち上げ時を含む任意の時に無線ＬＡＮアクセスポイントをサーチして前記無線ＬＡＮ内の第１のネットワークを識別するネットワーク識別子を検出する検出手段と、前記検出手段で検出したネットワーク識別子をキーにして前記第１のデータベースにネットワーク設定情報が登録されていれば、その登録されているネットワーク設定情報を用いて前記無線ＬＡＮアクセスポイントとの間で通信パスを張る第１の接続手段と、を有することを特徴としている。
【０００９】
更に、上記の第２の無線ＬＡＮ設定情報ディレクトリシステムにおいて、前記携帯端末は、前記検出手段で検出したネットワーク識別子をキーにして前記第１のデータベースにネットワーク設定情報が登録されていなければ、前記検出手段で検出したネットワーク識別子に対応するネットワーク設定情報のダウンロード要求を前記無線ＬＡＮ内の第２のネットワークまたは無線網を介してネットワーク識別子に対応したネットワーク設定情報を管理するサーバに対して行う要求手段と、前記要求手段に応じてダウンロードされるネットワーク設定情報を受信する受信手段と、前記受信手段で受信したネットワーク設定情報を用いて前記無線ＬＡＮアクセスポイントとの間で通信パスを張る第２の接続手段と、前記受信手段で受信したネットワーク設定情報を前記検出手段で検出したネットワーク識別子に対応して前記第１のデータベースに登録する登録手段と、を有することを特徴としている。
【００１０】
更に、上記の第１または第２の無線ＬＡＮ設定情報ディレクトリシステムにおいて、前記要求手段は、前記検出手段で検出したネットワーク識別子に対応する認証情報を前記サーバに送信することを特徴としている。
【００１１】
更に、上記の第１または第２の無線ＬＡＮ設定情報ディレクトリシステムにおいて、前記サーバは、前記携帯端末が無線ＬＡＮ内のネットワークを識別するネットワーク識別子に対応した各無線ＬＡＮアクセスポイントに通信パスを張る上で必要なネットワーク設定情報をネットワーク識別子毎に予め格納した第２のデータベースを備え、前記要求手段により前記携帯端末からダウンロード要求を受信した場合に前記携帯端末から受信したネットワーク識別子をキーとしたネットワーク設定情報を前記第２のデータベースから抽出しその抽出したネットワーク設定情報を要求元の前記携帯端末にダウンロードするダウンロード手段と、を有することを特徴としている。
【００１２】
更に、上記の第１または第２の無線ＬＡＮ設定情報ディレクトリシステムにおいて、前記サーバは、前記携帯端末が無線ＬＡＮ内のネットワークを識別するネットワーク識別子に対応した各無線ＬＡＮアクセスポイントに通信パスを張る上で必要なネットワーク設定情報と認証情報とをネットワーク識別子毎に予め格納した第２のデータベースを備え、前記要求手段により前記携帯端末からダウンロード要求を受信した場合に前記携帯端末から受信した認証情報と前記第２のデータベースに格納され前記携帯端末から受信したネットワーク識別子に対応する認証情報とを比較する比較手段と、前記比較手段で一致すると前記携帯端末から受信したネットワーク識別子をキーとしたネットワーク設定情報を前記第２のデータベースから抽出しその抽出したネットワーク設定情報を要求元の前記携帯端末にダウンロードするダウンロード手段を有することを特徴としている。
【００１３】
また、本発明の第１の無線ＬＡＮ設定情報ディレクトリ方法は、無線ＬＡＮ内の第１のネットワークに所属している無線ＬＡＮアクセスポイントに通信パスを張る携帯端末を備える無線ＬＡＮ設定情報ディレクト方法であって、前記携帯端末が、移動時、立ち上げ時を含む任意の時に無線ＬＡＮアクセスポイントをサーチして前記無線ＬＡＮ内の第１のネットワークのネットワーク識別子を検出するステップと、前記携帯端末が、前記検出したネットワーク識別子に対応するネットワーク設定情報のダウンロード要求を前記無線ＬＡＮ内の第２のネットワークまたは無線網を介してネットワーク識別子に対応したネットワーク設定情報を管理するサーバに対して行うステップと、前記携帯端末が、前記ダウンロード要求に応じてダウンロードされるネットワーク設定情報を受信するステップと、前記携帯端末が、前記受信したネットワーク設定情報を用いて前記無線ＬＡＮアクセスポイントとの間で通信パスを張るステップと、を含むことを特徴としている。
【００１４】
また、本発明の第２の無線ＬＡＮ設定情報ディレクトリ方法は、無線ＬＡＮ内の第１のネットワークに所属している無線ＬＡＮアクセスポイントに通信パスを張る携帯端末を備える無線ＬＡＮ設定情報ディレクトリシステムであって、前記携帯端末が、前記無線ＬＡＮ内のネットワークを識別するネットワーク識別子に対応した各無線ＬＡＮアクセスポイントに通信パスを張る上で必要なネットワーク設定情報をネットワーク識別子毎に格納する第１のデータベースを備え、前記携帯端末が、移動時、立ち上げ時を含む任意の時に無線ＬＡＮアクセスポイントをサーチして前記無線ＬＡＮ内の第１のネットワークを識別するネットワーク識別子を検出するステップと、前記携帯端末が、前記検出手段で検出したネットワーク識別子をキーにして前記第１のデータベースにネットワーク設定情報が登録されていれば、その登録されているネットワーク設定情報を用いて前記無線ＬＡＮアクセスポイントとの間で通信パスを張るステップと、を含むことを特徴としている。
【００１５】
更に、上記の第２の無線ＬＡＮ設定情報ディレクトリ方法において、前記携帯端末が、前記検出したネットワーク識別子をキーにして前記第１のデータベースにネットワーク設定情報が登録されていなければ、前記検出したネットワーク識別子に対応するネットワーク設定情報のダウンロード要求を前記無線ＬＡＮ内の第２のネットワークまたは無線網を介してネットワーク識別子に対応したネットワーク設定情報を管理するサーバに対して行うステップと、前記携帯端末が、前記ダウンロード要求に応じてダウンロードされるネットワーク設定情報を受信するステップと、前記携帯端末が、前記受信したネットワーク設定情報を用いて前記無線ＬＡＮアクセスポイントとの間で通信パスを張るステップと、前記受信したネットワーク設定情報を前記検出手段で検出したネットワーク識別子に対応して前記第１のデータベースに登録するステップと、含むことを特徴としている。
【００１６】
更に、上記の第１または第２の無線ＬＡＮ設定情報ディレクトリ方法において、前記携帯端末が、前記ダウンロード要求時に前記検出したネットワーク識別子に対応する認証情報を前記サーバに送信するステップを含むことを特徴としている。
【００１７】
更に、上記の第１または第２の無線ＬＡＮ設定情報ディレクトリ方法において、前記サーバが、前記携帯端末が無線ＬＡＮ内のネットワークを識別するネットワーク識別子に対応した各無線ＬＡＮアクセスポイントに通信パスを張る上で必要なネットワーク設定情報をネットワーク識別子毎に予め格納した第２のデータベースを備え、前記ダウンロード要求により前記携帯端末からダウンロード要求を受信した場合に前記携帯端末から受信したネットワーク識別子をキーとしたネットワーク設定情報を前記第２のデータベースから抽出しその抽出したネットワーク設定情報を要求元の前記携帯端末にダウンロードするステップを含むことを特徴としている。
【００１８】
更に、上記の第１または第２の無線ＬＡＮ設定情報ディレクトリ方法において、前記サーバが、前記携帯端末が無線ＬＡＮ内のネットワークを識別するネットワーク識別子に対応した各無線ＬＡＮアクセスポイントに通信パスを張る上で必要なネットワーク設定情報と認証情報とをネットワーク識別子毎に予め格納した第２のデータベースを備え、前記ダウンロード要求により前記携帯端末からダウンロード要求を受信した場合に前記携帯端末から受信した認証情報と前記第２のデータベースに格納され前記携帯端末から受信したネットワーク識別子に対応する認証情報とを比較するステップと、前記比較するステップで一致すると前記携帯端末から受信したネットワーク識別子をキーとしたネットワーク設定情報を前記第２のデータベースから抽出しその抽出したネットワーク設定情報を要求元の前記携帯端末にダウンロードするステップと、含むことを特徴としている。
【００１９】
また、本発明の第１の無線ＬＡＮ設定情報プログラムは、無線ＬＡＮ内の第１のネットワークに所属している無線ＬＡＮアクセスポイントに通信パスを張る処理をコンピュータに実行させる無線ＬＡＮ設定情報プログラムであって、移動時、立ち上げ時を含む任意の時に無線ＬＡＮアクセスポイントをサーチして前記無線ＬＡＮ内の第１のネットワークのネットワーク識別子を検出するステップと、前記検出したネットワーク識別子に対応するネットワーク設定情報のダウンロード要求を前記無線ＬＡＮ内の第２のネットワークまたは無線網を介してネットワーク識別子に対応したネットワーク設定情報を管理するサーバに対して行うステップと、前記ダウンロード要求に応じてダウンロードされるネットワーク設定情報を受信するステップと、前記受信したネットワーク設定情報を用いて前記無線ＬＡＮアクセスポイントとの間で通信パスを張るステップと、を含む処理を前記コンピュータに実行させることを特徴としている。
【００２０】
また、本発明の第２の無線ＬＡＮ設定情報プログラムは、無線ＬＡＮ内の第１のネットワークに所属している無線ＬＡＮアクセスポイントに通信パスを張る処理をコンピュータに実行させる無線ＬＡＮ設定情報ディレクトリプログラムであって、移動時、立ち上げ時を含む任意の時に無線ＬＡＮアクセスポイントをサーチして前記無線ＬＡＮ内の第１のネットワークを識別するネットワーク識別子を検出するステップと、前記検出手段で検出したネットワーク識別子をキーにしてネットワーク設定情報をネットワーク識別子毎に格納するデータベース内にネットワーク設定情報が登録されていれば、その登録されているネットワーク設定情報を用いて前記無線ＬＡＮアクセスポイントとの間で通信パスを張るステップと、を含む処理を前記コンピュータに実行させる。
【００２１】
更に、上記の第２の無線ＬＡＮ設定情報プログラムにおいて、前記携帯端末が、前記検出したネットワーク識別子をキーにして前記第１のデータベースにネットワーク設定情報が登録されていなければ、前記検出したネットワーク識別子に対応するネットワーク設定情報のダウンロード要求を前記無線ＬＡＮ内の第２のネットワークまたは無線網を介してネットワーク識別子に対応したネットワーク設定情報を管理するサーバに対して行うステップと、前記携帯端末が、前記ダウンロード要求に応じてダウンロードされるネットワーク設定情報を受信するステップと、前記携帯端末が、前記受信したネットワーク設定情報を用いて前記無線ＬＡＮアクセスポイントとの間で通信パスを張るステップと、前記受信したネットワーク設定情報を前記検出手段で検出したネットワーク識別子に対応して前記第１のデータベースに登録するステップと、を含む処理を前記コンピュータに実行させる。
【発明の効果】
【００２２】
本発明は、無線ＬＡＮを使用するサービスにおいて、ネットワーク設定情報をサーバから自動的に入手するようにしているため、無線ＬＡＮ内のネットワークに接続する上で必要な接続設定情報を簡便に入手することができるという効果がある。
【００２３】
また、本発明は、あらかじめサーバに接続すべき無線ＬＡＮ内のネットワークのネットワーク設定情報とネットワーク識別子（ＥＳＳＩＤまたはＢＳＳＩＤなど）が登録されているため、携帯端末は、自動で接続設定の取得を行うことができるという効果ある。すなわち、ユーザは、ホットスポット毎に行っていたネットワーク設定を行う必要がなく、煩雑な入力作業から解放される。
【発明を実施するための最良の形態】
【００２４】
次に、本発明を実施するための第１の最良の形態について図面を参照して詳細に説明する。
【００２５】
図１を参照すると、本発明の第１の実施形態を示すシステムの構成を示すブロック図である。このシステムは、無線ＬＡＮアクセスポイント１と、複数の携帯端末２と、ディレクトリサーバ３と、管理センター４と、無線ＬＡＮ９０１と、無線網９０２と、インターネット９０３と、有線ＬＡＮ９０４とから構成される。この場合、携帯端末２は、無線ＬＡＮ９０１を使用して無線ＬＡＮアクセスポイント１経由で有線ＬＡＮ９０４に接続しネットワークサービスを受けるものとする。そのため、携帯端末２が無線ＬＡＮアクセスポイント１に接続するためには何らかの設定情報が必要である。なお、図１の構成では、ディレクトリサーバ３をインターネット経由で設けるようにしたが、ＬＡＮ経由でも良い（例えば、管理センター内のＬＡＮにディレクトリサーバ３を接続）。
【００２６】
図１の無線ＬＡＮ９０１は、ＩＥＥＥ８０２．１１（ＩＥＥＥ８０２．１１ｂ，８０２．１１ｇ等を含む）のプロトコルを利用した無線のＬＡＮである。
【００２７】
図１の有線ＬＡＮ９０１は、ＩＥＥＥ８０２．３のプロトコルに対応した有線のＬＡＮである。
【００２８】
図１のインターネット９０３は、ＩＰプロトコルに対応したネットワークである。
【００２９】
図１の無線網９０２は、Ｗ−ＣＤＭＡ、ＰＤＣ、ＰＨＳ、Ｂｌｕｅｔｏｏｔｈなどのプロトコルを利用した無線網であり、利用にあたっては、特に規定しない。この場合の無線網９０２には、各携帯端末との通信を行う基地局と、複数の基地局を制御し、管理センターとのデータのやり取りを行う無線網制御装置とが含まれている。なお、Ｗ−ＣＤＭＡは、Ｗｉｄｅｂａｎｄ  Ｃｏｄｅ  Ｄｉｖｉｓｉｏｎ  Ｍｕｌｔｉｐｌｅ  Ａｃｃｅｓｓの略である。このＷ−ＣＤＭＡは、第３世代携帯電話（３Ｇ）の無線通信方式で、限られた帯域幅を多くのユーザで有効に利用することができる。また、ＰＤＣは、Ｐｅｒｓｏｎａｌ  Ｄｉｇｉｔａｌ  Ｃｅｌｌｕｌａｒの略である。このＰＤＣは、８００ＭＨｚ／１．５ＧＨｚの周波数帯を利用したデジタル無線通信方式である。また、ＰＨＳは、Ｐｅｒｓｏｎａｌ  Ｈａｎｄｙｐｈｏｎｅ  Ｓｙｓｔｅｍ（簡易型携帯電話）の略である。このＰＨＳは、ＰＤＣよりも設備や仕様を簡略化した無線通信方式を利用している。また、Ｂｌｕｅｔｏｏｔｈは、２．４ＧＨｚ帯域を用いた無線通信方式である。すなわち、携帯端末２とディレクトリサーバ３とは、それぞれ、Ｗ−ＣＤＭＡ、ＰＤＣ、ＰＨＳ、Ｂｌｕｅｔｏｏｔｈなどの通信手段を使って通信を行い、設定情報を引き渡すことができる。ディレクトリサーバ３は、上記各通信手段からアクセス可能なネットワークに配置する。
【００３０】
図１の管理センター４は、無線通信事業者によって管理されている。この管理センター４には、携帯端末２からのインターネット接続要求によるディレクトリサーバ３への接続を行う図示していない管理サーバを有している。この管理サーバは、無線網９０２を接続するインタフェース部と、ＩＰプロトコルにより通信のできるインタフェース部とを搭載している。更に、管理サーバは、プロセッサ（ＣＰＵ）によりプログラム制御で動作するサーバ、ワークステーション、パソコン等の情報処理装置（コンピュータ）である。
【００３１】
図１の携帯端末２は、無線ＬＡＮ９０１に接続して無線ＬＡＮアクセスポイント１を介してネットワークサービスを受けるための端末である。この携帯端末２は、制御部２１と、無線部２２と、無線部２３と、プログラム格納部２４と、端末内設定情報データベース２５と、メモリ２６とから構成される。
【００３２】
図１の携帯端末２の制御部２１は、図示していないプロセッサ（ＣＰＵ）によりプログラム制御で動作する。この制御部２１が、プログラム制御で動作する場合の機能ブロックの構成を図２に示す。図２を参照すると、制御部２１は、無線ＬＡＮネットワーク検出部２１１と、設定情報ダウンロード部２１２と、無線ＬＡＮネットワーク接続部２１３とを有している。
【００３３】
図２の無線ＬＡＮネットワーク検出部２１１は、アクセスポイント１が無線ＬＡＮ９０１内で所属（使用）しているネットワークを識別するための識別名であるネットワーク識別子を検出する手段を有する。なお、本発明における以下の説明では、無線ＬＡＮアクセスポイント１が無線ＬＡＮ９０１内で使用しているネットワークを識別する識別名を、アクセスポイント１のネットワーク識別子と呼ぶこともある。
【００３４】
図２の設定情報ダウンロード部２１２は、接続を行う無線ＬＡＮ９０１とは異なる通信手段を使って無線網９０２，管理センター４，インターネット９０３を介してディレクトリサーバ３にアクセスし、そのディレクトリサーバ３からネットワーク設定情報を取得する手段を有する。すなわち、設定情報ダウンロード部２１２は、端末内設定情報データベース２５に無線ＬＡＮネットワーク検出部２１１が検出したネットワーク識別子が登録されていなければ、無線ＬＡＮネットワーク検出部２１１が検出したネットワーク識別子に対応したネットワーク設定情報のダウンロード要求をディレクトリサーバ３に対して行う手段と、ダウンロード要求によりダウンロードされるネットワーク設定情報を受信する手段と、受信したネットワーク設定情報を端末内設定情報データベース２５に登録する手段と、を有する。
【００３５】
図２の無線ＬＡＮネットワーク接続部２１３は、取得したネットワーク設定情報を使って、無線ＬＡＮアクセスポイント１に通信パスを張る手段と、無線ＬＡＮアクセスポイント１経由でＬＡＮ９０４（インターネット）に接続する手段とを有する。
【００３６】
図１のプログラム格納部２４は、図示していない不揮発性メモリ（例えば、フラッシュメモリ等）内に割り当てられている。このプログラム格納部２４には、制御部２１がプログラム制御で動作する各種プログラムが格納されている。各種プログラムには、図７および図８で示す動作をプロセッサに実行させる無線ＬＡＮ設定情報用プログラムを含む。この無線ＬＡＮ設定用プログラムを予め記録媒体（例えば、ＣＤＲ）に書き込んでおき、ＣＤＲ周辺装置（例えば、ＣＤＲ装置等の記録媒体装置）からプログラム格納部２４に書き込んでも良い。また、無線ＬＡＮ設定用プログラムをあるＷｅｂサーバ内に格納しておき、無線ＬＡＮ９０１または無線部９０２を介してＷｅｂサーバにアクセスしてダウンロードすることでプログラム格納部に格納するようにしても良い。
【００３７】
図１の端末内設定情報データベース２５は、図示していない不揮発性メモリ（例えば、フラッシュメモリ等）内に割り当てられている。この端末内設定情報データベース２５には、各地域（無線ＬＡＮエリア）に存在する各アクセスポイント１のＥＳＳＩＤごとに認証情報およびアクセスポイント１のアドレス情報が予め格納されており、さらにディレクトリサーバ３から取得されたネットワーク設定情報がネットワーク識別子に対応して格納される。すなわち、図５に示すように、端末内設定情報データベース２５には、ネットワーク識別子であるＥＳＳＩＤのエリアと、認証情報のエリアと、ネットワーク設定情報のエリアと、アクセスポイント１のアドレス情報とのエリアとが割り当てられている。
【００３８】
図１のメモリ２６は、揮発性メモリ（例えば、ＲＡＭ）または不揮発性メモリ（例えば、フラッシュメモリ）である。このメモリ２６には、無線ＬＡＮ接続情報テーブルが割り当てられている。無線ＬＡＮ接続情報テーブルには、アクセスポイント１との通信パスが設定された場合にＥＳＳＩＤとネットワーク設定情報とアクセスポイント１のアドレス情報とが登録（格納）され、通信パスが解除された場合に登録された内容がクリアされる。すなわち、図６に示すように、この無線ＬＡＮ接続情報テーブルには、ＥＳＳＩＤのエリアとネットワーク設定情報のエリアとアクセスポイント１のアドレス情報のエリアとが割り当てられている。
【００３９】
図１の無線部２２は、ＩＥＥＥ８０２．１１規格対応の無線によるデータのやり取りを行うインタフェースを搭載しており、無線からデジタル、デジタルから無線への変換を行う。
【００４０】
図１の無線部２３は、Ｗ−ＣＤＭＡ、ＰＤＣ、ＰＨＳ、Ｂｌｕｅｔｏｏｔｈなどの規格対応の無線によるデータのやり取りを行うインタフェースを搭載しており、無線からデジタル、デジタルから無線への変換を行う。なお、無線部２３は、Ｗ−ＣＤＭＡ、ＰＤＣ、ＰＨＳ、Ｂｌｕｅｔｏｏｔｈなどの規格の利用にあたっては、特に規定しない。
【００４１】
図１のディレクトリサーバ３は、ネットワーク設定情報を携帯端末２に配布するための装置である。このディレクトリサーバ３は、インターネット９０３に接続されており、制御部３１と、インタフェース部３２と、ネットワーク設定情報データベース３３と、プログラム格納部３４とから構成される。
【００４２】
図１のディレクトリサーバ３の制御部３１は、図示していないプロセッサ（ＣＰＵ）によりプログラム制御で動作する。この制御部３１が、プログラム制御で動作する場合の機能ブロックの構成を図３に示す。図３を参照すると、制御部３１は、設定情報要求応答部３１１を有している。
【００４３】
図３の設定情報要求応答部３１１は、携帯端末２からの設定情報要求に対して応答する手段を有する。すなわち、設定情報要求応答部３１１は、受信したネットワーク識別子（ＥＳＳＩＤまたはＢＳＳＩＤなど）をキーにして、ネットワーク設定情報データベース３３に保存しているネットワーク設定情報を取り出して、携帯端末２に送信する。
【００４４】
図１のプログラム格納部３４は、図示していない不揮発性メモリ（例えば、フラッシュメモリ等）内に割り当てられている。このプログラム格納部３４には、制御部３１がプログラム制御で動作する各種プログラムが格納されている。
【００４５】
図１のディレクトリサーバ３のネットワーク設定情報データベース３３は、図示していない記憶部（例えば、磁気ディスク装置）にあるエリアに割り当てられている。ネットワーク設定情報データベース３３には、ネットワーク識別子（例えば、ＥＳＳＩＤ、ＢＳＳＩＤなど）ごとに、ネットワーク設定情報および認証情報が格納されている。例えば、図３を参照すると、ネットワーク設定情報データベース３３には、ＥＳＳＩＤのエリアとネットワーク設定情報のエリアと認証情報のエリアとが割り当てられている。この場合のＥＳＳＩＤは、無線ＬＡＮ９０１に接続する機器（または無線ＬＡＮネットワーク）を識別するネットワーク識別子である。そのため、同じＥＳＳＩＤを持つ無線ＬＡＮ機器同士でしか通信できない。また、この場合のネットワーク設定情報は、ＷＥＰ（Ｗｉｒｅｄ  Ｅｑｕｉｖａｌｅｎｔ  Ｐｒｉｖａｃｙ）の設定情報を例にしている。この例にしたネットワーク設定情報は、暗号キーと、暗号キー番号（４つの内１つを指定）と、ビット指定（１２８ビットＷＥＰまたは６４ビットＷＥＰ）と、認証方式（オープンシステム認証またはシェアードキー認証）とを含んでいる。なお、ネットワーク設定情報として、ＷＥＰの設定情報を例にして取り上げたが、これに限定する必要がなく、携帯端末のＩＰアドレス等のネットワークに関する設定情報を含んでも良い。
【００４６】
図１のディレクトリサーバ３のインタフェース部３２は、インターネット９０３を介して管理センター４とＩＰプロトコルに対応したデータのやり取りを行う。
【００４７】
図１の無線ＬＡＮアクセスポイント１は、携帯端末２から有線ＬＡＮ９０４への接続を受け付け、携帯端末２をインターネット、有線ＬＡＮ９０４配下の機器等に接続する。すなわち、無線ＬＡＮアクセスポイント１は、携帯端末２がネットワーク設定情報に伴って暗号化したパケットを受信することで、携帯端末２と通信パスを張り（接続し）、携帯端末２から有線ＬＡＮ９０４へのアクセスを可能とする。
【００４８】
次に、本発明を実施するための第１の最良の形態（第１の実施形態）の動作について図面を参照して説明する。
【００４９】
携帯端末２の制御部２１は、端末自身の立ち上げ（再立ち上げを含む）時、無線ＬＡＮアクセスポイント１との通信パスが強制的に切断された場合、または別の無線ＬＡＮ地域に移動した場合、まず、無線ＬＡＮネットワーク検出部２１１を使って無線ＬＡＮアクセスポイント１をサーチし、ネットワーク識別子を検出する。（図７のステップＳ１００）。なお、図７のフローチャートにおける動作を起動させる場合として、上記以外に、別の装置からの再起動要求時、携帯端末２の図示していない操作パネルからの指示（例えば、再サーチの要求）等がある。また、別の無線ＬＡＮ地域に移動したかどうかの判断としては、例えば、無線部２３が現状の電波よりも強い電波を一定期間検出した場合に移動したと判断して制御部２１に通知する。
【００５０】
ステップＳ１００における無線ＬＡＮネットワーク検出部２１１がサーチして検出する方法としては、無線ＬＡＮアクセスポイント１からブロードキャストにより一定間隔で送信されるネットワーク識別子付のビーコンパケットを受信するかどうかをチェックする。（図８のステップＳ１０１，Ｓ１０２）。
【００５１】
ステップＳ１０２において、無線ＬＡＮネットワーク検出部２１１は、ビーコンパケットを受信すれば、ビーコンパケットからネットワーク識別子を抽出し、その抽出したネットワーク識別子をサーチした結果として検出する。（ステップＳ１０９）。
【００５２】
ステップＳ１０２において、無線ＬＡＮネットワーク検出部２１１は、ある時間待ってもネットワーク識別子を受信されなければ、サーチ要求コマンド（ネットワーク識別子要求パケット）を作成し、無線ＬＡＮ９０１に向けてブロードキャストで無線部２２を介して送信する。更に、無線ＬＡＮネットワーク検出部２１１は、ネットワーク識別子を受信するかを確認する。（ステップＳ１０３，Ｓ１０４，Ｓ１０５）。
【００５３】
無線ＬＡＮアクセスポイント１は、携帯端末２からのサーチ要求コマンドによりサーチを感知すると、サーチに対する拒否モード（図示していない記憶部に予め設定されている）になっているかどうかを確認する。サーチに対する拒否モードになっていなければ、無線ＬＡＮアクセスポイント１は、携帯端末２が接続するためのネットワーク識別子を図示していない記憶部から読み出して、携帯端末２に送信する。拒否モードになっていれば、無線ＬＡＮアクセスポイント１は、サーチ要求コマンドを無視する。（図９のステップＳ２０１〜Ｓ２０４）。
【００５４】
ステップＳ１０５において、無線ＬＡＮネットワーク検出部２１１は、ネットワーク識別子を受信すれば、受信したネットワーク識別子をサーチした結果として検出する。（ステップＳ１０９）。
【００５５】
ステップＳ１０５において、無線ＬＡＮネットワーク検出部２１１は、ネットワーク識別子を受信しなければ、端末内設定情報データベース２５に登録されているネットワーク識別子が存在するかどうかを順にアクセスポイント１に対して問い合わせる。（ステップＳ１０６，Ｓ１０７）。
【００５６】
無線ＬＡＮアクセスポイント１は、存在確認パケットを受信すると、確認要求のあったネットワーク識別子が図示していない記憶部（例えば、フラッシュメモリ等の不揮発性メモリ）に設定されているネットワーク識別子と一致するかの確認を行う。一致すれば、確認要求のあったネットワーク識別子が存在することを要求元の携帯端末２に通知する。
【００５７】
無線部２２を介して存在すること受信すると（ネットワーク識別子が存在すれば）、無線ＬＡＮネットワーク検出部２１１は、存在したネットワーク識別子をサーチした結果として検出する。（ステップＳ１０８）。
【００５８】
このようにして、無線ＬＡＮ検出部２１１は、ネットワーク識別子を検出すると、端末内設定情報データベース２５内に受信したネットワーク識別子が登録されていてかつネットワーク設定情報も登録されているかの確認を行う。（図７のステップＳ１３１，Ｓ１３２）。
【００５９】
ステップＳ１３２において、初期状態ではネットワーク識別子が空である（登録されていない）ため、無線ＬＡＮ検出部２１１は、設定情報ダウンロード部２１２にネットワーク設定情報のダウンロードの指示を行う。この場合、無線ＬＡＮ検出部２１１は、アクセスポイント１から受信したネットワーク識別子とアクセスポイント１のアドレス情報（ＭＡＣアドレス）とをメモリ２６内に一時的に保存する。すると、設定情報ダウンロード部２１２は、図示していない記憶部（例えば、フラッシュメモリ等の不揮発性メモリ）からディレクトリサーバ３のアクセス先であるＵＲＬを読み出し、無線部２３を介して管理センター４に接続する。この場合のＵＲＬ（Ｕｎｉｆｏｒｍ  Ｒｅｓｏｕｒｃｅ  Ｌｏｃａｔｏｒの略）は、図示していない記憶部に予め登録されている。更に、設定情報ダウンロード部２１２は、その管理センター４を介して読み出したＵＲＬによりディレクトリサーバ３に接続することで、携帯端末２とディレクトリサーバ３との間に通信パスを張る。更に、設定情報ダウンロード部２１２は、接続ディレクトリサーバ３にネットワーク識別子を添付して接続設定情報のダウンロード要求を行う。（ステップＳ１３３）。
【００６０】
インタフェース部３２を介して携帯端末２から設定情報ダウンロード要求を受け取ったディレクトリサーバ３の制御部３１は、設定情報要求応答部３１１を使って、設定情報ダウンロード要求の処理を行う。すなわち、設定情報要求応答手段３１１は、受信したネットワーク識別子をキーにしてネットワーク接続設定情報データベース３３に登録されているかの確認を行う。（図１０のステップＳ３０１，Ｓ３０２）。
【００６１】
ステップＳ３０２において登録済みであれば、設定情報要求応答部３１１は、受信した認証情報と、ネットワーク接続情報データベース３３内の該当するネットワーク識別子に対応して登録されている認証情報と、を比較することにより認証のチェックを行う。（ステップＳ３０３，Ｓ３０４）。
【００６２】
ステップＳ３０４において、認証が一致すれば、設定情報要求応答部３１１は、受信したネットワーク識別子をキーにしてネットワーク接続設定情報データベース３３に登録されているネットワーク設定情報を抽出する。更に、設定情報要求応答部３１１は、要求元の携帯端末２に抽出したネットワーク設定情報を送信し、終了する。（ステップＳ３０５，Ｓ３０６）。
【００６３】
ステップＳ３０２において、登録済みでなければ、設定情報要求応答部３１１は、未登録であることを要求元の携帯端末２に通知する。（ステップＳ３０７）。
【００６４】
ステップＳ３０４において、認証が一致しなければ、設定情報要求応答部３１１は、認証不一致であることを要求元の携帯端末２に通知する。（ステップＳ３０８）。
【００６５】
無線部２３を介してネットワーク設定情報を受け取った設定情報ダウンロード部２１２は、一時的にメモリ２６内に保存しておいたネットワーク識別子およびアドレス情報と、受信したネットワーク設定情報と、を端末内設定情報データベース２５内に登録する。更に、設定情報ダウンロード部２１２は、無線ＬＡＮネットワーク接続部２１３に制御を渡す。なお、設定情報ダウンロード部２１２は、ネットワーク設定情報登録時に端末内設定情報データベース２５に既にネットワーク識別子および／またはアドレス情報が既に登録されていれば、登録されていないものだけを端末内設定情報データベース２５内の該当するエリアに登録する。また、設定情報ダウンロード部２１２が新たにネットワーク設定情報を登録する場合に、予め設定された容量をオーバすると、未使用の内のどれかを削除する。この場合の削除する方法として、例えば、ランドロビン方式（データベース２５を決まった領域に設定しておき、頭から順にネットワーク設定情報を登録していく過程で一杯になると、頭に戻って登録する）、古い順に削除する方式（ネットワーク設定情報を登録する時に時間情報も登録し、一杯になると古い履歴のものを削除し新たなものを登録する）等が考えられるが、本発明では特に規定しない。（図７のステップＳ１３４）。
【００６６】
無線ＬＡＮネットワーク接続部２１３は、受信したネットワーク設定情報（登録されたネットワーク設定情報でも可）を使って、アクセスポイント１に呼設定（セッション設定パケット）を送信することにより、アクセスポイント１との間で通信パスを張る。更に、無線ＬＡＮネットワーク接続部２１３は、現状のネットワーク設定情報を把握するために、メモリ２６内の無線ＬＡＮ接続情報テーブルに一時的の保存しておいたネットワーク識別子、アクセスポイントのアドレス情報と、受信したネットワーク識別情報とを含む各情報を登録する。以降、携帯端末２は、アクセスポイント１を介して他のネットワークと通信を行う場合には、無線ＬＡＮネットワーク接続部２１３がメモリ２６内の無線接続情報テーブルに登録されたネットワーク設定情報を使って通信を行うことになる。（図７のステップＳ１３５，Ｓ１３６）。
【００６７】
上記の説明において、ネットワーク識別子をサーチする方法として、図８に示す手順に従って必ずしも行う必要がなく、ステップＳ１０１，１０２の手順を省略しても良いし、ステップＳ１０６からの手順だけにしても良いし、ステップＳ１０３〜Ｓ１０５の手順の省略、または、これと違ったサーチの仕方によってアクセスポイント１のネットワーク識別子を検出するようにしても良い。
【００６８】
また、携帯端末２の端末内設定情報データベース２５内のＥＳＳＩＤのエリアに初期状態として、ネットワーク識別子が予め登録されているようにしたが、必ずしも登録されている必要はない。
【００６９】
また、携帯端末２の端末内設定情報データベース２５内のアドレス情報のエリアに予め無線ＬＡＮアクセスポイント１のアドレス情報を登録するようにしたが、図８のステップＳ１０６の処理を行う必要のない無線ＬＡＮアクセスポイント１であれば、必ずしも必要ない。すなわち、携帯端末２の端末内設定情報データベース２５内のアドレス情報のエリアが予めブランクになっており、ネットワーク識別子が検出されると、アドレス情報が登録されることになる。
【００７０】
また、携帯端末２内に端末内設定情報データベース２５内の認証情報のエリアに初期状態として、認証情報が予め登録されているようにしたが、必ずしも登録されている必要はない。この場合、ディレクトリサーバ３の設定情報要求応答部３１１は、図１０のステップＳ３０３において認証のチェックを行う場合には、携帯端末２にパスワードを入力させ、その入力させたパスワードとネットワーク接続情報データベース３３に登録されている認証情報とを比較するようにしても良い。
【００７１】
また、認証のチェックを行うようにしたが、必ずしも行う必要はない。この場合、ディレクトリサーバ３の設定情報要求応答部３１１は、図１０のステップＳ３０３，Ｓ３０４，Ｓ３０８の処理を行う必要はない。
【００７２】
次に、本発明を実施するための第２の最良の形態について図面を参照して詳細に説明する。
【００７３】
図１１を参照すると、本発明の第２の実施形態を示すシステムの構成を示すブロック図である。このシステムは、無線ＬＡＮアクセスポイント１，６と、複数の携帯端末５と、ディレクトリサーバ３と、管理センター４と、無線ＬＡＮ９０１と、有線ＬＡＮ９０４、有線ＬＡＮ９０５とから構成される。この場合、携帯端末２は、無線ＬＡＮアクセスポイント１の所属する無線ＬＡＮ９０１内のネットワークを使用して無線ＬＡＮアクセスポイント１経由で有線ＬＡＮ９０４に接続しネットワークサービスを受けるものとする。そのため、携帯端末２が無線ＬＡＮアクセスポイント１に接続するためには何らかの設定情報が必要である。また、携帯端末２が無線ＬＡＮアクセスポイント６と接続する場合は、無線ＬＡＮアクセスポイント６の所属する無線ＬＡＮ９０１内のネットワークを介して接続する。この場合の無線ＬＡＮアクセスポイント６の所属する無線ＬＡＮ９０１内のネットワークは、無線ＬＡＮアクセスポイント１の所属する無線ＬＡＮ９０１内のネットワークとは異なる。なお、図１１の構成では、ディレクトリサーバ３を有線ＬＡＮ経由で設けるようにしたが、インターネット経由でも良い。
【００７４】
本発明の第１の実施の形態である図１のディレクトリサーバ３が無線網９０２，管理センター４，インターネット９０３経由で接続されている点に比べ、本発明の第２の実施形態は、ディレクトリサーバ３が無線ＬＡＮ９０１，無線ＬＡＮアクセスポイント６，有線ＬＡＮ９０５経由で接続されている点で相違する。更に、第１の実施の形態である図１の携帯端末２の代わりに、第２の実施形態では、携帯端末５が使用されている点が第１の実施の形態と相違する。
【００７５】
図１１の携帯端末５は、無線ＬＡＮ９０１に接続して無線ＬＡＮアクセスポイント１または無線ＬＡＮアクセスポイント６を介してネットワークサービスを受けるための端末である。この携帯端末５は、制御部５１と、無線部２２と、プログラム格納部２４と、端末内設定情報データベース２５と、メモリ２６とから構成される。
【００７６】
図１１の携帯端末５の制御部５１は、図示していないプロセッサ（ＣＰＵ）によりプログラム制御で動作する。この制御部５１が、プログラム制御で動作する場合の機能ブロックの構成を図１２に示す。図１２を参照すると、制御部５１は、無線ＬＡＮネットワーク検出部５１１と、設定情報ダウンロード部５１２と、無線ＬＡＮネットワーク接続部５１３とを有している。
【００７７】
図１１の携帯端末５の制御部５１は、図示していないプロセッサ（ＣＰＵ）によりプログラム制御で動作する。この制御部５１が、プログラム制御で動作する場合の機能ブロックの構成を図１２に示す。図１２を参照すると、制御部５１は、無線ＬＡＮネットワーク検出部５１１と、設定情報ダウンロード部５１２と、無線ＬＡＮネットワーク接続部５１３とを有している。
【００７８】
図１２の無線ＬＡＮネットワーク検出部５１１は、アクセスポイント１を検出する手段を有する。
【００７９】
図１２の設定情報ダウンロード部５１２は、アクセスポイント１の所属している無線ＬＡＮ９０１内のネットワークとは異なる通信手段であるアクセスポイント６に所属している無線ＬＡＮ９０１内のネットワーク，管理センター４，インターネット９０３を介してディレクトリサーバ３にアクセスし、そのディレクトリサーバ３からネットワーク設定情報を取得する手段を有する。すなわち、設定情報ダウンロード部５１２は、端末内設定情報データベース２５に無線ＬＡＮネットワーク検出部５１１が検出したネットワーク識別子が登録されていなければ、無線ＬＡＮネットワーク検出部５１１が検出したネットワーク識別子に対応したネットワーク設定情報のダウンロード要求をディレクトリサーバ３に対して行う手段と、ダウンロード要求によりダウンロードされるネットワーク設定情報を受信する手段と、受信したネットワーク設定情報を端末内設定情報データベース２５に登録する手段と、を有する。
【００８０】
図１２の無線ＬＡＮネットワーク接続部５１３は、取得したネットワーク設定情報を使って、無線ＬＡＮアクセスポイント１に通信パスを張る手段と、無線ＬＡＮアクセスポイント１経由でＬＡＮ９０４（インターネット）に接続する手段とを有する。
【００８１】
図１１のプログラム格納部２４は、図示していない不揮発性メモリ（例えば、フラッシュメモリ等）内に割り当てられている。このプログラム格納部２４には、制御部５１がプログラム制御で動作する各種プログラムが格納されている。各種プログラムには、図７および図８で示す動作をプロセッサに実行させる無線ＬＡＮ設定情報用プログラムを含む。この無線ＬＡＮ設定用プログラムを予め記録媒体（例えば、ＣＤＲ）に書き込んでおき、ＣＤＲ周辺装置（例えば、ＣＤＲ装置等の記録媒体装置）からプログラム格納部２４に書き込んでも良い。また、無線ＬＡＮ設定用プログラムをあるＷｅｂサーバ内に格納しておき、無線ＬＡＮ９０１または無線部９０２を介してＷｅｂサーバにアクセスしてダウンロードすることでプログラム格納部に格納するようにしても良い。
【００８２】
なお、それ以外の構成は、第１の実施形態の各ブロックの説明と同じである。なお、第１の実施形態と同じ場合には、各ブロックに同じ識別番号を割り当てている。
【００８３】
次に、本発明を実施するための第２の最良の形態（第２の実施形態）の動作について図面を参照して説明する。
【００８４】
今、説明を簡単にするために、アクセスポイント６は、ブロードキャストにより一定間隔でネットワーク識別子を送信しており、アクセスポイント１は、セキュリティのからみでブロードキャストにより一定間隔でネットワーク識別子を送信しておらず、サーチ要求コマンドを受信した場合、ネットワーク識別子を要求元に通知するものとする。
【００８５】
携帯端末５の制御部５１は、端末自身の立ち上げ時、無線ＬＡＮアクセスポイント１との通信パスが強制的に切断された場合、または別の無線ＬＡＮ地域に移動した場合、まず、無線ＬＡＮネットワーク検出部５１１を使って無線ＬＡＮアクセスポイント６をサーチし、ネットワーク識別子を検出する。（図１３のステップＳ１００）。
【００８６】
この場合、無線ＬＡＮネットワーク検出部５１１がサーチして検出する方法としては、第１の実施の形態で説明した図８の無線アクセスポイントのサーチ処理と同じ動作を無線ＬＡＮネットワーク検出部５１１が行う。すなわち、無線ＬＡＮネットワーク検出部５１１は、無線ＬＡＮアクセスポイント１，６からブロードキャストにより一定間隔で送信されるネットワーク識別子付のビーコンパケットを受信するかどうかをチェックする。（図８のステップＳ１０１，Ｓ１０２）。
【００８７】
ステップＳ１０２において、無線ＬＡＮネットワーク検出部５１１は、無線ＬＡＮアクセスポイント６からビーコンパケットを受信するため、ビーコンパケットからネットワーク識別子を抽出し、その抽出したネットワーク識別子をサーチした結果として検出する。（ステップＳ１０９）。
【００８８】
無線ＬＡＮネットワーク検出部５１１は、検出したネットワーク識別子に対して接続するように無線ＬＡＮネットワーク接続部５１２に指示する。すると、無線ＬＡＮネットワーク接続部５１２は、無線ＬＡＮアクセスポイント６に対してネットワーク識別子を用いて呼設定を行うことにより通信パスを張り、制御を無線ＬＡＮネットワーク検出部５１１に戻す。（図１３のステップＳ１４１）。
【００８９】
無線ＬＡＮネットワーク検出部５１１は、通信パスの張れなかったネットワーク識別子が存在するか確認する。この場合の確認方法としては、無線ＬＡＮネットワーク検出部５１１は、１つしかネットワーク識別子を検出していなかったとして通信パスの張れなかったネットワーク識別子が存在すると判断しても良いし、端末内設定情報データベース２５に登録されているネットワーク識別子が存在した場合に通信パスの張れなかったネットワーク識別子が存在すると判断しても良い。（ステップＳ１４２，Ｓ１４３）。
【００９０】
ステップＳ１０４において、通信パスの張れなかった無線ＬＡＮアクセスポイント１のネットワーク識別子が存在するため、無線ＬＡＮネットワーク検出部５１１は、図８の無線ＬＡＮアクセスポイントのサーチ処理を行う。（ステップＳ１００）。
【００９１】
すなわち、無線ＬＡＮネットワーク検出部５１１は、無線ＬＡＮアクセスポイント６からブロードキャストにより一定間隔で送信されるネットワーク識別子を受信するかどうかをチェックする。（図８のステップＳ１０１，Ｓ１０２）。
【００９２】
ステップＳ１０２において、無線ＬＡＮネットワーク検出部５１１は、ある時間待ってもネットワーク識別子を受信されないので、サーチ要求コマンド（ネットワーク識別子要求パケット）を作成し、無線ＬＡＮ９０１に向けてブロードキャストで無線部２２を介して送信する。更に、無線ＬＡＮネットワーク検出部５１１は、ネットワーク識別子を受信するかを確認する。（ステップＳ１０３，Ｓ１０４，Ｓ１０５）。
【００９３】
無線ＬＡＮアクセスポイント１は、携帯端末５からのサーチ要求コマンドによりサーチを感知すると、サーチに対する拒否モード（図示していない記憶部に予め設定されている）になっているかどうかを確認する。サーチに対する拒否モードになっていないので、無線ＬＡＮアクセスポイント１は、携帯端末５が接続するためのネットワーク識別子を図示していない記憶部から読み出して、要求元の携帯端末５に送信する。（図９のステップＳ２０１〜Ｓ２０３）。
【００９４】
図８のステップＳ１０５において、無線ＬＡＮネットワーク検出部５１１は、ネットワーク識別子を受信するため、受信したネットワーク識別子をサーチした結果として検出する。（図８のステップＳ１０９）。
【００９５】
このようにして、無線ＬＡＮ検出部５１１は、無線ＬＡＮアクセスポイント１のネットワーク識別子を検出すると、端末内設定情報データベース２５内に受信したネットワーク識別子が登録されていてかつネットワーク設定情報も登録されているかの確認を行う。（図７のステップＳ１５１，Ｓ１５２）。
【００９６】
ステップＳ１５２において、初期状態ではネットワーク識別子が空である（登録されていない）ため、無線ＬＡＮ検出部５１１は、設定情報ダウンロード部５１２にネットワーク設定情報のダウンロードの指示を行う。この場合、無線ＬＡＮ検出部５１１は、アクセスポイント１から受信したネットワーク識別子とアクセスポイント１のアドレス情報とをメモリ２６内に一時的に保存する。すると、設定情報ダウンロード部５１２は、図示していない記憶部（例えば、フラッシュメモリ等の不揮発性メモリ）からディレクトリサーバ３のアクセス先であるＵＲＬを読み出し、無線部２２を介して管理センター４に接続する。この場合のＵＲＬ（Ｕｎｉｆｏｒｍ  Ｒｅｓｏｕｒｃｅ  Ｌｏｃａｔｏｒの略）は、図示していない記憶部に予め登録されている。更に、設定情報ダウンロード部２１２は、その管理センター４を介して読み出したＵＲＬによりディレクトリサーバ３に接続することで、携帯端末２とディレクトリサーバ３との間に通信パスを張る。更に、設定情報ダウンロード部２１２は、接続ディレクトリサーバ３にネットワーク識別子を添付して接続設定情報のダウンロード要求を行う。（ステップＳ１３３）。なお、ディレクトリサーバ３の場所をＵＲＬで設定したが、ＩＰアドレスであっても良い。この場合、ＵＲＬの代わりに図示していない記憶部にＩＰアドレスが予め登録されていることになる。
【００９７】
インタフェース部３２を介して携帯端末２から設定情報ダウンロード要求を受け取ったディレクトリサーバ３の制御部３１は、設定情報要求応答部３１１を使って、設定情報ダウンロード要求の処理を行う。すなわち、設定情報要求応答手段３１１は、受信したネットワーク識別子をキーにしてネットワーク接続設定情報データベース３３に登録されているかの確認を行う。（図１０のステップＳ３０１，Ｓ３０２）。
【００９８】
ステップＳ３０２において登録済みであれば、設定情報要求応答部３１１は、受信した認証情報と、ネットワーク接続情報データベース３３内の該当するネットワーク識別子に対応して登録されている認証情報と、を比較することにより認証のチェックを行う。（ステップＳ３０３，Ｓ３０４）。
【００９９】
ステップＳ３０４において、認証が一致すれば、設定情報要求応答部３１１は、受信したネットワーク識別子をキーにしてネットワーク接続設定情報データベース３３に登録されているネットワーク設定情報を抽出する。更に、設定情報要求応答部３１１は、要求元の携帯端末５に抽出したネットワーク設定情報を送信し、終了する。（ステップＳ３０５，Ｓ３０６）。
【０１００】
ステップＳ３０２において、登録済みでなければ、設定情報要求応答部３１１は、未登録であることを要求元の携帯端末５に通知する。（ステップＳ３０７）。
【０１０１】
ステップＳ３０４において、認証が一致しなければ、設定情報要求応答部３１１は、認証不一致であることを要求元の携帯端末５に通知する。（ステップＳ３０８）。
【０１０２】
無線部２３を介してネットワーク設定情報を受け取った携帯端末５の設定情報ダウンロード部５１２は、一時的にメモリ２６内に保存しておいたネットワーク識別子およびアドレス情報と、受信したネットワーク設定情報と、を端末内設定情報データベース２５内に登録する。更に、設定情報ダウンロード部５１２は、無線ＬＡＮネットワーク接続部５１３に制御を渡す。なお、設定情報ダウンロード部５１２は、ネットワーク設定情報登録時に端末内設定情報データベース２５に既にネットワーク識別子および／またはアドレス情報が既に登録されていれば、登録されていないものだけを端末内設定情報データベース２５内の該当するエリアに登録する。この場合の削除する方法として、例えば、ランドロビン方式（データベース２５を決まった領域に設定しておき、頭から順にネットワーク設定情報を登録していく過程で一杯になると、頭に戻って登録する）、古い順に削除する方式（ネットワーク設定情報を登録する時に時間情報も登録し、一杯になると古い履歴のものを削除し新たなものを登録する）等が考えられるが、本発明では特に規定しない。（図７のステップＳ１３４）。
【０１０３】
無線ＬＡＮネットワーク接続部５１３は、受信したネットワーク設定情報（登録されたネットワーク設定情報でも可）を使って、アクセスポイント１に呼設定を送信することでアクセスポイント１との間で通信パスを張る。更に、無線ＬＡＮネットワーク接続部５１３は、現状のネットワーク設定情報を把握するために、メモリ２６内の無線ＬＡＮ接続情報テーブルに一時的の保存しておいたネットワーク識別子、アクセスポイントのアドレス情報と、受信したネットワーク識別情報とを含む各情報を登録する。以降、携帯端末５は、アクセスポイント１を介して他のネットワークと通信を行う場合には、無線ＬＡＮネットワーク接続部５１３がメモリ２６内の無線接続情報テーブルに登録されたネットワーク設定情報を使って通信を行うことになる。（図７のステップＳ１３５，Ｓ１３６）。
【０１０４】
上記の第２の実施形態の説明において、ネットワーク識別子をサーチする方法として、図８に示す手順に従って必ずしも行う必要がなく、ステップＳ１０１，１０２の手順を省略しても良いし、ステップＳ１０６からの手順だけにしても良いし、ステップＳ１０３〜Ｓ１０５の手順の省略、または、これと違ったサーチの仕方によってアクセスポイント１のネットワーク識別子を検出するようにしても良い。
【０１０５】
また、上記の第２の実施形態の説明において、携帯端末５の端末内設定情報データベース２５内のネットワーク識別子のエリアに初期状態として、ＥＳＳＩＤが予め登録されているようにしたが、必ずしも登録されている必要はない。
【０１０６】
また、上記の第２の実施形態の説明において、携帯端末５の端末内設定情報データベース２５内のアドレス情報のエリアに予め無線ＬＡＮアクセスポイント１のアドレス情報を登録するようにしたが、図８のステップＳ１０６の処理を行う必要のない無線ＬＡＮアクセスポイント１であれば、必ずしも必要ない。すなわち、携帯端末５の端末内設定情報データベース２５内のアドレス情報のエリアが予めブランクになっており、ネットワーク識別子が検出されると、アドレス情報が登録されることになる。
【０１０７】
また、上記の第２の実施形態の説明において、携帯端末５内に端末内設定情報データベース２５内の認証情報のエリアに初期状態として、認証情報が予め登録されているようにしたが、必ずしも登録されている必要はない。この場合、ディレクトリサーバ３の設定情報要求応答部３１１は、図１０のステップＳ３０３において認証のチェックを行う場合には、携帯端末５にパスワードを入力させ、その入力させたパスワードとネットワーク接続情報データベース３３に登録されている認証情報とを比較するようにしても良い。
【０１０８】
また、上記の第２の実施形態の説明において、認証のチェックを行うようにしたが、必ずしも行う必要はない。この場合、ディレクトリサーバ３の設定情報要求応答部３１１は、図１０のステップＳ３０３，Ｓ３０４，Ｓ３０８の処理を行う必要はない。
【０１０９】
また、上記の第１および第２の実施形態において、ディレクトリサーバ３にアクセスする手段として、携帯端末２または５がＷ−ＣＤＭＡ、ＰＤＣ、ＰＨＳ、Ｂｌｕｅｔｏｏｔｈ、無線ＬＡＮのいずれか１つを利用してアクセスするようにしたが、Ｗ−ＣＤＭＡ、ＰＤＣ、ＰＨＳ、Ｂｌｕｅｔｏｏｔｈ、無線ＬＡＮの内複数対応できるように各プロトコルに対応した無線部を搭載しておいても良い。この場合は、アクセスする優先順位を付けておき、アクセス負荷の場合は、次に優先順位の高い無線プロトコルを使って、アクセスする。
【０１１０】
また、上記の第１および第２の説明において、プログラム格納部２３に格納されている無線ＬＡＮ設定情報用プログラムは、図１または図１１に示す携帯端末２内の構成と同じ構成であれば、どのようなコンピュータに搭載しても良い。
【０１１１】
以上の第１および第２の実施形態で説明したように、本発明は、携帯端末２，５が、移動時または立ち上げ時に無線ＬＡＮアクセスポイント１をサーチして無線ＬＡＮ９０１内のネットワーク（無線ＬＡＮアクセスポイント１）のネットワーク識別子を検出すると、無線網９０２または無線ＬＡＮ内の別のネットワーク（無線ＬＡＮアクセスポイント６）を介してディレクトリサーバ３にアクセスするようにしているため、携帯端末２，５内に、初めからネットワーク設定情報を保存する必要がなく、更に、ディレクトリサーバ３側でネットワーク識別子に対応したネットワーク設定情報を管理することができる。従って、本発明は、ネットワーク設定情報を簡便に入手することができるし、携帯端末２，５内に保存する容量も低減できる。
【０１１２】
また、以上の第１および第２の実施形態で説明したように、ディレクトリサーバ３に接続すべきネットワーク設定情報が登録されているため、携帯端末２，５は、ディレクトリサーバ３にアクセスすることにより自動的にネットワーク設定情報の設定を行うことができる。すなわち、利用者は、ホットスポット（登録商標：無線ＬＡＮアクセスポイント１を設置し、インターネット接続サービスを不特定多数の利用者に提供している空間のこと）毎にネットワークの設定を行う必要がなく、ネットワークの設定の煩雑な入力作業から解放される。
【図面の簡単な説明】
【０１１３】
【図１】本発明の第１の実施形態におけるシステムの構成を示すブロック図である。
【図２】図１の携帯端末の制御部内の構成を示すブロック図である。
【図３】図１または図１１のディレクトリサーバの制御部内の構成を示すブロック図である。
【図４】図１または図１１のディレクトリサーバのネットワーク設定情報データベース内の構成を示す構成図である。
【図５】図１または図１１の携帯端末の端末内設定情報データベース内の構成を示す構成図である。
【図６】図１または図１１の携帯端末のメモリ内に割り当てられた無線ＬＡＮ接続情報テーブル内の構成を示す構成図である。
【図７】図１の携帯端末自身の立ち上げ時、無線ＬＡＮアクセスポイントとの通信パスが強制的に切断された場合、または別の無線ＬＡＮ地域に移動した場合に、携帯端末が動作する場合のフローチャートである。
【図８】図７または図１３の無線アクセスポイントのサーチ処理を図１の携帯端末の制御部がサブルーチンコールで実行する場合の動作を示すフローチャートである。
【図９】図１または図１１のアクセスポイント１がネットワーク識別子のサーチ要求を受信した場合の動作を示すフローチャートである。
【図１０】図１または図１１のディレクトリサーバの制御部がネットワーク設定情報要求を受信した場合の動作を示すフローチャートである。
【図１１】本発明の第２の実施形態におけるシステムの構成を示すブロック図である。
【図１２】図１１の携帯端末の制御部内の構成を示すブロック図である。
【図１３】図１１の携帯端末自身の立ち上げ時、無線ＬＡＮアクセスポイントとの通信パスが強制的に切断された場合、または別の無線ＬＡＮ地域に移動した場合に、携帯端末が動作する場合のフローチャートである。
【符号の説明】
【０１１４】
１，６    無線ＬＡＮアクセスポイント
２，５    携帯端末
３    ディレクトリサーバ
４    管理センター
２１，３１，５１    制御部
２２，２３    無線部
２４，３４    プログラム格納部
２５    端末内設定情報データベース
２６    メモリ
３２    インタフェース部
３３    ネットワーク設定情報データベース
２１１，５１１    無線ＬＡＮネットワーク検出部
２１２，５１２    設定情報ダウンロード部
２１３，５１３    無線ＬＡＮネットワーク接続部
３１１    設定情報要求応答部
【図１】
2005191721.tif 000003
【図２】
2005191721.tif 000004
【図３】
2005191721.tif 000005
【図４】
2005191721.tif 000006
【図５】
2005191721.tif 000007
【図６】
2005191721.tif 000008
【図７】
2005191721.tif 000009
【図８】
2005191721.tif 000010
【図９】
2005191721.tif 000011
【図１０】
2005191721.tif 000012
【図１１】
2005191721.tif 000013
【図１２】
2005191721.tif 000014
【図１３】
2005191721.tif 000015